(57)【要約】【課題】インフルエンザの感染予防及び熱中症の発症予防のために適切で有効な対応を取るように積極的に促して効果的な予防に資することができるインフルエンザ予防用及び熱中症予防用の情報表示装置を提供する。【解決手段】インフルエンザモードにある液晶ディスプレイ５に、絶対湿度の測定値「５ｇ／ｍ３」をインフルエンザ予防の目安値（例えば、１１ｇ／ｍ３超）まで高めるために必要な相対湿度の目標上昇幅「２５％rh」と、その目標上昇幅だけ加湿するように促す「あと（２５％rh）加湿しましょう」のメッセージとが表示される。【選択図】図２
0003202664.tif 000002
【実用新案登録請求の範囲】
【請求項１】
液晶ディスプレイの表示モードをインフルエンザの感染予防のための情報を表示するインフルエンザモードと、熱中症の発症予防のための情報を表示する熱中症モードとに切り替えるモード切替手段を備えたインフルエンザ予防用及び熱中症予防用の情報表示装置において、インフルエンザモードにあるときは、前記液晶ディスプレイに、絶対湿度の測定値をインフルエンザ予防の目安値まで高めるために必要な相対湿度の目標上昇幅と、その目標上昇幅だけ加湿するように促すメッセージとが表示され、熱中症モードにあるときは、前記液晶ディスプレイに、暑さ指数の測定値を熱中症予防の目安値まで下げるために必要な室温の目標低下幅と、その目標低下幅だけ室温を下げるように促すメッセージとが表示されることを特徴とする情報表示装置。
【請求項２】
前記液晶ディスプレイが、インフルエンザモードにあるときに、絶対湿度の測定値が表示されると共に、絶対湿度の数値範囲に応じたインフルエンザ感染の危険度を段階的に複数の色域に区分して表す色域区分と、絶対湿度の測定値に対応するインフルエンザ感染の危険度を表す色域に付されてその危険度を顔の表情で表す顔アイコンとで、前記危険度の度合いがバロメーター表示される表示領域を有している請求項１記載の情報表示装置。
【請求項３】
前記液晶ディスプレイが、熱中症モードにあるときに、暑さ指数の測定値が表示されると共に、暑さ指数の数値範囲に応じた熱中症発症の危険度を段階的に複数の色域に区分して表す色域区分と、暑さ指数の測定値に対応する熱中症発症の危険度を表す色域に付されてその危険度を顔の表情で表す顔アイコンとで、前記危険度の度合いがバロメーター表示される表示領域を有している請求項１又は２記載の情報表示装置。
【請求項４】
前記液晶ディスプレイが、気温と湿度が常時リアルタイムで表示されると共に、それらが現在の気温と湿度であることを表すメッセージが表示される表示領域を有している請求項１、２又は３記載の情報表示装置。
【考案の詳細な説明】
【技術分野】
【０００１】
本考案は、インフルエンザの感染予防のための情報と熱中症の発症予防のための情報とを液晶ディスプレイに選択的に表示する情報表示装置に係り、特に、エアコンその他の冷暖房機器、加湿器、除湿器などにより気温・湿度の調節が可能な室内・屋内で使用する情報表示装置に関する。
【背景技術】
【０００２】
従来技術に係る情報表示装置としては、図６に示す如く、装置本体をなすケース６１の前面に、インフルエンザ流行情報と熱中症発生情報を上部６２ａに選択的に表示し、温度センサと湿度センサで検出した温度と湿度の実測値を下部６２ｂに表示する表示部６２と、各種操作ボタン６３ａ、６３ｂ、６３ｃ及び６３ｄとを配したインフルエンザ情報／熱中症情報表示装置が提案されており、図６は、表示部６２の上部６２ａにインフルエンザ流行情報として「警戒」の文字が表示され、その下部６２ｂに温度の実測値「１５．１℃」と湿度の実測値「２０％」とが表示された状態を図示している（特許文献１参照）。
【０００３】
図６の情報表示装置は、温度が２１℃以下で且つ湿度が６９％以下の場合に、表示部６２の上部６２ａにインフルエンザ流行情報を表示するモード処理を実行し、温度が２２℃以上で且つ湿度が７０％以上の場合に、表示部６２の上部６２ａに熱中症発生情報を表示するモード処理を実行するＣＰＵを備えている。すなわち、温度センサと湿度センサで検出した温度と湿度の値に応じて、表示部６２の上部６２ａの表示モードを、インフルエンザ流行情報を表示するモードと熱中症発生情報を表示するモードとに切り替えるモード切替手段を実行するＣＰＵ（中央演算処理装置）を備えている。
【０００４】
そして、ＣＰＵは、インフルエンザ流行情報を表示するモード処理において、温度センサと湿度センサの検出値に基づいて算出する絶対湿度の値（ｇ／ｍ３）が、７ｇ／ｍ３以下であるときは、表示部６２の上部６２ａに図示の如く「警戒」の文字を表示し、同値が７〜１１ｇ／ｍ３であるときは、「注意」の文字を表示し、上記以外の範囲であるときは、何らの表示もしないようにしている。
【０００５】
また、ＣＰＵは、熱中症発生情報を表示するモード処理において、温度センサと湿度センサの検出値に基づいて算出する暑さ指数（ＷＢＧＴ）の値（℃）が、３１℃以上であるときは、表示部６２の上部６２ａに「危険」の文字を表示し、同値が２８〜３０℃であるときは、「警戒」の文字を表示し、同値が２５〜２７℃であるときは、「注意」の文字を表示し、同値が２１〜２４℃であるときは「ほぼ安全」の文字を表示するようにしている。
【０００６】
しかしながら、上記装置は、インフルエンザ流行情報として、表示部６２に「警戒」表示や「注意」表示がなされるのみで、それらの表示がなされた場合に取るべき対応を指示ないし示唆するものではないから、インフルエンザの感染予防のための対応が何ら取られない可能性があり、また、感染予防のための対応が取られたとしても、その対応は、マスクを着用したり、うがいや手洗いを励行したり、予防接種を受けたり、室内を暖房したり、外出を控えたり、人ごみを避けるなど、人によって様々に異なることが予想されるから、インフルエンザの感染を予防するための適切で実効性ある対応が取られることは期待できない。
【０００７】
同様に、熱中症発生情報として、表示部６２に「危険」や「警戒」あるいは「注意」の表示がなされるのみで、それらの表示がなされた場合に取るべき対応を指示・示唆するものではないから、それらの表示が看過されて何らの対応も取られない可能性があり、また、対応が取られたとしても、その対応は、室内を冷房したり、こまめに水分・塩分を補給したり、日中の外出や運動を控えるなど、人によって様々に異なるものとなることが予想されるから、熱中症の発症を予防するための適切で実効性ある対応が取られることは期待できない。
【０００８】
また、国語辞典によれば、「警戒」とは、「危険や災害に備えて、あらかじめ注意し、用心すること。」の意であり、「注意」とは、「気をつけること。気をくばること。悪いことが起こらないように警戒すること。 用心すること。」の意であるから、「警戒」と「注意」とは語彙的に明確な差異はなく、しかも、表示部６２には、「警戒」の文字と「注意」の文字とが序列表示されることなく個別単独で表示されるから、「警戒」表示と「注意」表示とにおけるインフルエンザ流行／熱中症発生の危険度の度合いの違いを客観的に把握・認識し辛い。
【０００９】
そのため、表示部６２の表示が「注意」表示から「警戒」表示に切り替わっても、インフルエンザ流行／熱中症発生の危険度が高まった切迫感を感じさせることができないから、「警戒」表示が看過・無視されてインフルエンザ流行／熱中症発生を予防するための対応が何ら取られない可能性があることが予想される。
【先行技術文献】
【特許文献】
【００１０】
【特許文献１】特開２０１３−１４５２２４号公報
【考案の概要】
【考案が解決しようとする課題】
【００１１】
本考案は、絶対湿度の測定値（ｇ／ｍ３）に応じてインフルエンザの感染予防のための適切で有効性の高い対応を取るように積極的に促すことができると共に、暑さ指数（ＷＢＧＴ）の測定値（℃）に応じて熱中症の発症予防のための適切で有効性の高い対応を取るように積極的に促すことができるインフルエンザ予防用及び熱中症予防用の情報表示装置を提供することを技術的課題としている。
【課題を解決するための手段】
【００１２】
上記課題を解決するために、本考案は、液晶ディスプレイの表示モードをインフルエンザの感染予防のための情報を表示するインフルエンザモードと、熱中症の発症予防のための情報を表示する熱中症モードとに切り替えるモード切替手段を備えたインフルエンザ予防用及び熱中症予防用の情報表示装置において、インフルエンザモードにあるときは、前記液晶ディスプレイに、絶対湿度の測定値をインフルエンザ予防の目安値まで高めるために必要な相対湿度の目標上昇幅と、その目標上昇幅だけ加湿するように促すメッセージとが表示され、熱中症モードにあるときは、前記液晶ディスプレイに、暑さ指数の測定値を熱中症予防の目安値まで下げるために必要な室温の目標低下幅と、その目標低下幅だけ室温を下げるように促すメッセージとが表示されることを特徴とするものである。なお、本考案でいう「室温」は、部屋など屋内の気温のことをいう。
【考案の効果】
【００１３】
本考案に係る情報表示装置は、インフルエンザの感染予防のための情報を表示するインフルエンザモードにある液晶ディスプレイに、絶対湿度の測定値をインフルエンザ予防の目安値まで高めるために必要な相対湿度の目標上昇幅と、その目標上昇幅だけ加湿するように促すメッセージとが表示されることにより、エアコンや加湿器を使用するなどして屋内湿度をインフルエンザの感染予防に有効な適正値まで上昇させる適切な対応を取るように積極的に促すことができ、また、熱中症の発症予防のための情報を表示する熱中症モードにある液晶ディスプレイに、暑さ指数の測定値を熱中症予防の目安値まで下げるために必要な室温の目標低下幅と、その目標低下幅だけ室温を下げるように促すメッセージとが表示されることにより、エアコンを使用するなどして屋内気温を熱中症の発症予防に有効な適正値まで低下させる適切な対応を取るように積極的に促すことができるから、一般住宅や高齢者住宅・高齢者施設、保育園・幼稚園・学校、病院・医療機関、オフィス、工場・倉庫等で使用して、インフルエンザと熱中症の実効的な予防に資することができるという大変優れた効果がある。
【図面の簡単な説明】
【００１４】
【図１】本考案の実施例に係る情報表示装置の概略構成を示すブロック図
【図２】本考案の実施例に係る情報表示装置のインフルエンザモードにおける液晶ディスプレイの表示例を示す図
【図３】インフルエンザモードにおける液晶ディスプレイにインフルエンザ感染の危険度の度合いをバロメータ表示する色域区分と顔アイコンの例を示す図
【図４】本考案の実施例に係る情報表示装置の熱中症モードにおける液晶ディスプレイの表示例を示す図
【図５】熱中症モードにおける液晶ディスプレイに熱中症発症の危険度の度合いをバロメーター表示する色域区分と顔アイコンの例を示す図
【図６】従来技術に係る情報表示装置を示す図
【考案を実施するための形態】
【００１５】
本考案の実施形態に係る情報表示装置は、液晶ディスプレイの表示モードをインフルエンザの感染予防のための情報を表示するインフルエンザモードと、熱中症の発症予防のための情報を表示する熱中症モードとに切り替えるモード切替手段を備えている。
【００１６】
そして、インフルエンザモードにあるときは、液晶ディスプレイに、絶対湿度の測定値（例えば、５ｇ／ｍ３）をインフルエンザ予防の目安値（例えば、１１ｇ／ｍ３超）まで高めるために必要な相対湿度の目標上昇幅（例えば、「２５％／rh」）と、その目標上昇幅だけ加湿するように促すメッセージ（例えば、「あと（２５％／rh）加湿しましょう」）とが表示され、このメッセージによって、エアコンや加湿器等を使用して屋内湿度をインフルエンザの感染予防に有効な適正値まで上昇させる適切な対応を取るように積極的に促すことができる。
【００１７】
一方、熱中症モードにあるときは、液晶ディスプレイに、暑さ指数（ＷＢＧＴ）の測定値（例えば、３３℃）を熱中症予防の目安値（例えば、２５℃以下）まで下げるために必要な室温の目標低下幅（例えば、「７℃」）と、その目標低下幅だけ室温を下げるように促すメッセージ（例えば、「あと（７℃）下げましょう」）とが表示され、このメッセージによって、エアコン等を使用して屋内気温を熱中症の発症予防に有効な適正値まで低下させる適切な対応を取るように積極的に促すことができる。
【００１８】
また、液晶ディスプレイは、インフルエンザモードにあるときに、絶対湿度の測定値（例えば、「５ｇ／ｍ３」）が表示されると共に、絶対湿度の数値範囲（例えば、インフルエンザ感染の危険性が高い７ｇ／ｍ３以下、感染しやすい７〜１０ｇ／ｍ３、感染するおそれがある１０〜１１ｇ／ｍ３、感染しにくい１１ｇ／ｍ３超）に応じたインフルエンザ感染の危険度を段階的に複数の色域（例えば、赤色域・橙色域・黄色域・青色域の４段階の色域）に区分して表す色域区分と、絶対湿度の測定値（例えば、５ｇ／ｍ３）に対応するインフルエンザ感染の危険度を表す色域（例えば、赤色域）に付されてその危険度を顔の表情（例えば、マスクをして苦しそうな表情）で表す顔アイコンとで危険度の度合いがバロメーター表示される表示領域を有しており、このバロメーター表示によって、インフルエンザ感染の危険度の度合いを客観的に把握・認識させることができる。
【００１９】
また、液晶ディスプレイは、熱中症モードにあるときに、暑さ指数（ＷＢＧＴ）の測定値（例えば、「３３℃」）が表示されると共に、暑さ指数の数値範囲（例えば、安静状態でも熱中症発症の危険性が高い３１℃超、発症しやすい２８〜３１℃、発症のおそれがある２５〜２８℃、発症の危険性が少ない２５℃以下）に応じた熱中症発症の危険度を段階的に複数の色域（例えば、赤色域・橙色域・黄色域・青色域の４段階の色域）に区分して表す色域区分と、暑さ指数の測定値（例えば、３３℃）に対応する熱中症発症の危険度を表す色域（例えば、赤色域）に付されてその危険度を顔の表情（例えば、汗をかいて苦しそうな表情）で表す顔アイコンとで危険度の度合いがバロメーター表示される表示領域を有しており、このバロメーター表示によって、熱中症発症の危険度の度合いを客観的に把握・認識させることができる。
【００２０】
更に、液晶ディスプレイは、気温と湿度（相対湿度）が常時リアルタイムで表示されると共に、それらが現在の気温と湿度であることを表すメッセージ（例えば、「ただいまの温度／湿度」）が表示される表示領域を有しており、このメッセージによって、現在の気温（℃）・湿度（％rh）を表す数値と、暑さ指数の測定値（℃）・絶対湿度の測定値（ｇ／ｍ３）を表す数値や室温の目標低下幅（℃）・相対湿度の目標上昇幅（％rh）を表す数値とを誤認混同することなく明確に区別することができる。
【実施例】
【００２１】
図面に示す本考案の実施例に係る情報表示装置は、当該装置の外郭をなすプラスチック製のハウジングケース１と、気温を検出する温度センサ２と、相対湿度を検出する湿度センサ３と、各種演算処理や制御処理を実行するＣＰＵ・メモリ・ＩＯポート等を１個のＩＣチップに搭載したワンチップ型のマイコン４と、マイコン４から出力されるインフルエンザ予防用／熱中症予防用の情報に係るデータや温度センサ２と湿度センサ３で検出される気温（室温）と湿度（相対湿度）の実測値などを表示する複数の表示領域Ａ、Ｂ及びＣを有する液晶ディスプレイ５と、マイコン４から出力される制御信号に基づいてブザー音ないしＬＥＤ光による警報を発する警報器６とを備えている。
【００２２】
マイコン４は、温度センサ２で検出される温度が２２℃未満で且つ湿度センサ３で検出される相対湿度が湿度７０％未満の場合に、液晶ディスプレイ５の表示モードを、インフルエンザの感染を予防するための情報を表示するインフルエンザモードに設定し、温度センサ２の検出温度が２２℃以上で且つ湿度センサ３の検出湿度が７０％以上の場合に、液晶ディスプレイ５の表示モードを、熱中症の発症を予防するための情報を表示する熱中症モードに設定するようにプログラムされている。なお、モードの切替手段は、レバースイッチや感圧スイッチ等によるものであってもよい。
【００２３】
液晶ディスプレイ５の表示領域Ｃには、図２及び図４の如く、温度センサ２で検出される気温（℃）と湿度センサ３で検出される相対湿度（％rh）とが常時リアルタイムで表示されると共に、それらが現在の気温と相対湿度であることを表す「ただいまの温度／湿度」のメッセージが表示されるようになっている。
【００２４】
そして、インフルエンザモードにあるときは、液晶ディスプレイ５の表示領域Ｂに、例えば図２の如く、「絶対湿度」の文字と、マイコン４で算出した絶対湿度の測定値「５ｇ／ｍ３」が表示されると共に、絶対湿度の数値範囲に応じたインフルエンザ感染の危険度を青色域（ここでの青は、緑も含む。）・黄色域・橙色域・赤色域の４段階に区分して表す色域区分と、マイコン４で算出した絶対湿度の測定値（５ｇ／ｍ３）に対応するインフルエンザ感染の危険度を表す色域（赤色域）に付されてその危険度を顔の表情（例えば、マスクをして苦しそうな表情）で表す顔アイコンとで、危険度の度合いがバロメーター表示されるようになっている。
【００２５】
このバロメーター表示により、インフルエンザ感染の危険度の度合いを客観的に把握・認識させて、危険度が高まった切迫感を感じさせることができるので、インフルエンザの感染を予防するための適切で有効な対応を取るように仕向けることが可能となり、インフルエンザ感染の予防効果が期待できる。
【００２６】
なお、マイコン４は、絶対湿度の測定値が７ｇ／ｍ３以下のときに、図３（ａ）の如く、色域区分の中でインフルエンザ感染の危険度が最も高いことを表す赤色域にその危険度の度合いを表す顔アイコンを付し、同値が７ｇ／ｍ３超〜１０ｇ／ｍ３以下のときに、図３（ｂ）の如く、赤色域よりも危険度が低い橙色域にその危険度の度合いを表す顔アイコンを付し、同値が１０ｇ／ｍ３超〜１１ｇ／ｍ３以下のときに、図３（ｃ）の如く、橙色域よりも危険度が低い黄色域にその危険度の度合いを表す顔アイコンを付し、同値が１１ｇ／ｍ３超のときに、図３（ｄ）の如く、黄色域よりも危険度が低い青色域にインフルエンザ感染のおそれが少ないことを表す顔アイコンを付するようにプログラムされている。
【００２７】
また、マイコン４は、インフルエンザモードにある液晶ディスプレイ５の表示領域Ａに、図２の表示領域Ｂに表示された絶対湿度の測定値「５ｇ／ｍ３」をインフルエンザ予防の目安値（１１ｇ／ｍ３超）まで高めるために必要な相対湿度の目標上昇幅「２５％／rh」を表示させると共に、その目標上昇幅だけ加湿するように促す「あと（２５％／rh）加湿しましょう」のメッセージを表示させるようにプログラムされている。
【００２８】
この加湿を促すメッセージにより、加湿器を使用するなどして屋内湿度をインフルエンザの感染予防に有効な適正値まで上昇させる適切な対応を取るように仕向けることができるから、インフルエンザの感染を効果的に予防することができる。また、図２の如く、液晶ディスプレイ５の表示領域Ａに表示された相対湿度の目標上昇幅「２５％／rh」と、表示領域Ｃに表示された相対湿度の実測値「３０％／rh」とから、当該相対湿度の実測値が「５５％／rh」に達するまで加湿すればよいことを即座に理解・認識することができる。
【００２９】
一方、熱中症モードにあるときは、液晶ディスプレイ５の表示領域Ｂに、例えば図４の如く、「暑さ指数」の文字と、マイコン４で算出された暑さ指数（ＷＢＧＴ）の測定値「３３℃」が表示されると共に、暑さ指数の数値範囲に応じた熱中症発症の危険度を青色域・黄色域・橙色域・赤色域の４段階に区分して表す色域区分と、マイコン４で算出された暑さ指数の測定値（３３℃）に対応する熱中症発症の危険度を表す色域（赤色域）に付されてその危険度を顔の表情（例えば、汗をかいて苦しそうな表情）で表す顔アイコンとで、危険度の度合いがバロメーター表示されるようになっている。
【００３０】
このバロメーター表示により、熱中症発症の危険度の度合いを客観的に把握・認識させて、危険度が高まった切迫感を感じさせることができるので、熱中症の発症を予防するための適切で有効な対応を取るように仕向けることが可能となり、熱中症の発症を効果的に予防することができる。
【００３１】
なお、マイコン４は、暑さ指数の測定値が３１℃超のときに、図５（ａ）の如く、色域区分の中で熱中症発症の危険度が最も高いことを表す赤色域にその危険度の度合いを表す顔アイコンを付し、同値が２８℃超〜３１℃以下のときに、図５（ｂ）の如く、赤色域よりも危険度が低い橙色域にその危険度の度合いを表す顔アイコンを付し、同値が２５℃超〜２８℃以下のときに、図５（ｃ）の如く、橙色域よりも危険度が低い黄色域にその危険度の度合いを表す顔アイコンを付し、同値が２５℃以下のときに、図５（ｄ）の如く、黄色域よりも危険度が低い青色域に熱中症発症のおそれが少ないことを表す顔アイコンを付するようにプログラムされている。
【００３２】
また、マイコン４は、熱中症モードにある液晶ディスプレイ５の表示領域Ａに、図４の表示領域Ｂに表示された暑さ指数の測定値「３３℃」を熱中症予防の目安値（暑さ指数２５℃以下）まで低下させるために必要な室温の目標低下幅「７℃」を表示させると共に、その目標低下幅だけ室温を下げるように促す「あと（７℃）下げましょう」のメッセージを表示させるようにプログラムされている。
【００３３】
この室温を下げるように促すメッセージにより、エアコン等を使用して屋内気温を熱中症の発症予防に有効な適正値まで低下させる適切な対応を取るように仕向けることができるから、熱中症の発症を確実に予防する効果が期待できる。また、図４の如く、液晶ディスプレイ５の表示領域Ａに表示された室温の目標低下幅「７℃」と、表示領域Ｃに表示された気温の実測値「３５．０℃」とから、当該気温の実測値が「２８℃」に低下するまで屋内を冷房すればよいことを即座に理解・認識することができる。
【００３４】
更に、インフルエンザ感染と熱中症発症の危険やおそれがあるときに、その危険やおそれを回避する予防措置を早急に講じるように仕向けるため、マイコン４は、インフルエンザモードにおける絶対湿度の測定値が、例えば７ｇ／ｍ３以下あるいは１０ｇ／ｍ３以下ないし１１ｇ／ｍ３以下となったときや、熱中症モードにおける暑さ指数の測定値が、例えば３１℃超あるいは２８℃超ないし２５℃超となったときに、警報器６に対してブザー音ないしＬＥＤ光による警報を発生させる制御信号を一定時間出力するようにプログラムされている。
【符号の説明】
【００３５】
１…ハウジングケース
２…温度センサ
３…湿度センサ
４…マイコン
５…液晶ディスプレイ
Ａ、Ｂ、Ｃ…液晶ディスプレイの表示領域
６…警報器
【図１】
0003202664.tif 000003
【図６】
0003202664.tif 000004
【図２】
0003202664.tif 000005
【図３】
0003202664.tif 000006
【図４】
0003202664.tif 000007
【図５】
0003202664.tif 000008
【手続補正書】
【提出日】平成27年12月15日(2015.12.15)
【手続補正１】
【補正対象書類名】実用新案登録請求の範囲
【補正対象項目名】請求項１
【補正方法】変更
【補正の内容】
【請求項１】
液晶ディスプレイの表示モードをインフルエンザの感染予防のための情報を表示するインフルエンザモードと、熱中症の発症予防のための情報を表示する熱中症モードとに切り替えるモード切替手段を備えたインフルエンザ予防用及び熱中症予防用の情報表示装置において、気温を検出する温度センサと、相対湿度を検出する湿度センサと、各種演算処理や制御処理を実行するマイコンと、マイコンから出力されるインフルエンザ予防用／熱中症予防用の情報に係るデータなどを表示する複数の表示領域を有する液晶ディスプレイとを備え、インフルエンザモードにあるときは、前記液晶ディスプレイの表示領域に、前記マイコンで算出された絶対湿度の測定値をインフルエンザ予防の目安値まで高めるために必要な相対湿度の目標上昇幅と、その目標上昇幅だけ加湿するように促すメッセージとが表示され、熱中症モードにあるときは、前記液晶ディスプレイの表示領域に、前記マイコンで算出された暑さ指数の測定値を熱中症予防の目安値まで下げるために必要な室温の目標低下幅と、その目標低下幅だけ室温を下げるように促すメッセージとが表示されることを特徴とする情報表示装置。
【手続補正２】
【補正対象書類名】明細書
【補正対象項目名】００１２
【補正方法】変更
【補正の内容】
【００１２】
上記課題を解決するために、本考案は、液晶ディスプレイの表示モードをインフルエンザの感染予防のための情報を表示するインフルエンザモードと、熱中症の発症予防のための情報を表示する熱中症モードとに切り替えるモード切替手段を備えたインフルエンザ予防用及び熱中症予防用の情報表示装置において、気温を検出する温度センサと、相対湿度を検出する湿度センサと、各種演算処理や制御処理を実行するマイコンと、マイコンから出力されるインフルエンザ予防用／熱中症予防用の情報に係るデータなどを表示する複数の表示領域を有する液晶ディスプレイとを備え、インフルエンザモードにあるときは、前記液晶ディスプレイの表示領域に、前記マイコンで算出された絶対湿度の測定値をインフルエンザ予防の目安値まで高めるために必要な相対湿度の目標上昇幅と、その目標上昇幅だけ加湿するように促すメッセージとが表示され、熱中症モードにあるときは、前記液晶ディスプレイの表示領域に、前記マイコンで算出された暑さ指数の測定値を熱中症予防の目安値まで下げるために必要な室温の目標低下幅と、その目標低下幅だけ室温を下げるように促すメッセージとが表示されることを特徴とするものである。なお、本考案でいう「室温」は、部屋など屋内の気温のことをいう。